(57)【要約】【課題】衣服に着脱可能な送風装置において、騒音の低減に資する技術を提供する。【解決手段】送風装置１は、モータ３３と、モータ３３によって回転軸Ａ１回りに回転駆動されるファン３６と、吸気口４４７と排気口とを有し、モータ３３とファン３６を収容するハウジング４とを備える。ハウジング４は、筒状部４０と吸気側カバー部４４とを含む。筒状部４０は、回転軸Ａ１と同軸状に、ファン３６の少なくとも一部を囲むように配置されている。吸気側カバー部４４は、筒状部４０の吸気側の端部である後端部４０１の開口を覆うように配置され、吸気口４４７を有する。後端部４０１の内周面は、吸気口４４７の一部を規定している。後端部４０１は、回転軸Ａ１方向において、後端部４０１の開口端（後端）に向かって内径が大きくなるように構成されている【選択図】  図６
2019124195.tif 000002
【特許請求の範囲】
【請求項１】
衣服に着脱可能に構成された送風装置であって、
モータと、
前記モータによって所定の回転軸回りに回転駆動されるファンと、
吸気口と排気口とを有し、前記モータおよび前記ファンを収容するハウジングとを備え、
前記ハウジングは、
前記回転軸と同軸状に、前記ファンの少なくとも一部を囲むように配置され、前記回転軸方向において前記ファンの吸気側に位置する吸気側端部を有する筒状部と、
前記吸気側端部の開口を覆うように配置され、前記吸気口を有する吸気側カバー部とを含み、
前記吸気側端部の内周面は、前記吸気口の一部を規定しており、
前記吸気側端部は、前記回転軸方向において、前記吸気側端部の開口端に向かって内径が大きくなるように構成されていることを特徴とする送風装置。
【請求項２】
請求項１に記載の送風装置であって、
前記吸気側端部の前記内周面は、前記開口端に向かって径方向外側に湾曲する湾曲面として構成されていることを特徴とする送風装置。
【請求項３】
請求項２に記載の送風装置であって、
前記湾曲面は、少なくとも２ミリメートルの曲率半径を有することを特徴とする送風装置。
【請求項４】
請求項３に記載の送風装置であって、
前記曲率半径が、少なくとも３ミリメートルであることを特徴とする送風装置。
【請求項５】
請求項１〜４の何れか１つに記載の送風装置であって、
前記モータの最高回転数が、少なくとも毎分４,５００回転であることを特徴とする送風装置。
【請求項６】
請求項１〜５の何れか１つに記載の送風装置であって、
前記ファンは、少なくとも７０ミリメートルの直径を有することを特徴とする送風装置。
【請求項７】
請求項１〜６の何れか１つに記載の送風装置であって、
前記吸気側カバー部のうち、前記回転軸方向において前記排気口からより離間した位置にある端面は、前記吸気側端部の端面と概ね同一の面上に配置されていることを特徴とする送風装置。
【請求項８】
請求項１〜７の何れか１つに記載の送風装置が取り外し可能に装着された衣服。
【発明の詳細な説明】
【技術分野】
【０００１】
本発明は、衣服に着脱可能な送風装置、および送風装置が装着された衣服に関する。
【背景技術】
【０００２】
高温環境下で着用される衣服に装着され、衣服内に送風することにより衣服内を通気する送風装置が知られている。例えば、特許文献１には、ファンと、モータと、これらを収容するハウジングとを備えた送風装置が開示されている。ハウジングは、空気取込口（吸気口）を有する外側ファンガードと、空気排出口（排気口）を有し、外側ファンガードに嵌め合わされた内側ファンガードとで構成されている。この送風装置は、吸気口が衣服の外側に配置され、排気口が衣服の内側に配置された状態で、環状の取付けリングを使用して、衣服の取付け孔に装着される。
【先行技術文献】
【特許文献】
【０００３】
【特許文献１】特開２０１７―７８２３５号公報
【発明の概要】
【発明が解決しようとする課題】
【０００４】
上述の送風装置では、有底円筒状の外側ファンガードの前面（底面部）に直線状に形成された吸気口を介して空気が吸い込まれる。ファンの駆動に伴ってハウジングに吸い込まれる外気の流れには、吸気口付近で乱流が生じ、乱流に起因した騒音が発生しやすい。
【０００５】
本発明は、かかる状況に鑑み、衣服に着脱可能な送風装置において、騒音の低減に資する技術を提供することを目的とするものである。
【課題を解決するための手段】
【０００６】
本発明の一態様によれば、衣服に着脱可能に構成された送風装置が提供される。この送風装置は、モータと、ファンと、ハウジングとを備えている。
【０００７】
ファンは、モータによって所定の回転軸回りに回転駆動されるように構成されている。ハウジングは、吸気口と排気口とを有し、モータおよびファンを収容する。また、ハウジングは、筒状部と、吸気側カバー部とを含む。筒状部は、ファンの回転軸と同軸状に、ファンの少なくとも一部を囲むように配置されている。また、筒状部は、ファンの回転軸方向において、ファンの吸気側に位置する端部である吸気側端部を有する。吸気側カバー部は、筒状部の吸気側端部の開口を覆うように配置されており、吸気口を有する。吸気側端部の内周面は、吸気口の一部を規定している。更に、吸気側端部は、回転軸方向において、吸気側端部の開口端に向かって内径が大きくなるように構成されている。
【０００８】
本態様の送風装置では、吸気口の一部を規定する筒状部の吸気側端部が、吸気側端部の開口端に向かって内径が大きくなるように構成されている。よって、吸気側端部が均一の内径を有する場合に比べ、吸気口から筒状部へ空気をスムーズに流入させ、空気の流れに剥離（渦）が生じることを抑制することができる。これにより、騒音を低減することができる。
【０００９】
本発明の一態様において、吸気側端部の内周面は、開口端に向かって径方向外側に湾曲する湾曲面として構成されていてもよい。言い換えると、回転軸を含む平面で吸気側端部を切った場合、吸気側端部の内周面を表す線は、開口端に向かって回転軸から離れる弧を描く。この場合、吸気側端部の内周面を表す線が直線状である場合（内周面が単なる傾斜面である場合）に比べ、より効果的に剥離の発生を抑制し、騒音を低減することができる。
【００１０】
本発明の一態様において、湾曲面は、少なくとも２ミリメートルの曲率半径を有していると好ましく、少なくとも３ミリメートルの曲率半径を有することが更に好ましい。本態様によれば、吸気口近傍における流れの剥離を効果的に抑制可能な湾曲面を実現することができる。なお、本態様は、湾曲面の全体が同一の曲率半径を有することを要するものではなく、湾曲面は、異なる曲率半径を有する複数の部分を含んでいてもよい。この場合、最小の曲率半径が少なくとも２ミリメートル（３ミリメートル）であればよい。なお、曲率半径が大きくなるほど騒音の低減効果は上がるものの、衣服に着脱可能な送風装置の大きさに関する現実的な制約を考慮すると、曲率半径は、１４．５ミリメートル以下であることが好ましい。
【００１１】
本発明の一態様において、モータの最高回転数は、少なくとも毎分４,５００回転であってもよい。本態様によれば、モータの回転数が比較的高く、風量が大きい送風装置において、効果的に騒音を低減することができる。
【００１２】
本発明の一態様において、ファンは、少なくとも７０ミリメートルの直径を有してもよい。本態様によれば、ファンの直径が比較的大きく、風量が大きい送風装置において、効果的に騒音を低減することができる。なお、衣服に着脱可能な送風装置の大きさに関する現実的な制約を考慮すると、ファンの直径は、１００ミリメートル以下であることが好ましい。
【００１３】
本発明の一態様によれば、吸気側カバー部のうち、回転軸方向において排気口からより離間した位置にある端面は、吸気側端部の端面と略同一位置に配置されていてもよい。つまり、吸気側カバー部の端面と吸気側端部の端面は、概ね同一の平面上にあってもよい。この場合、衣服の外部に配置される吸気側カバー部や吸気側端部が周囲の物に引っかかる可能性を低減することができる。
【図面の簡単な説明】
【００１４】
【図１】上着の背面図である。
【図２】上着のファン取付け部の説明図である。
【図３】送風装置の斜視図である。
【図４】本体部からリング部材が取り外された状態の送風装置の斜視図である。
【図５】送風装置の斜視図である。
【図６】図５のＶＩ―ＶＩ線における断面図である。
【図７】バッテリホルダの説明図である。
【図８】図５のＶＩＩＩ―ＶＩＩＩ線における断面図である。
【図９】本体部の側面図である。
【図１０】図８のＸ―Ｘ線における断面図である（但し、ハウジングの筒状部とリング部材のみを図示）。
【図１１】本体部にリング部材が装着された状態の送風装置の側面図である。
【図１２】図６の部分拡大図である。
【発明を実施するための形態】
【００１５】
以下、図面を参照して、本発明の実施形態について説明する。なお、以下の実施形態では、本発明に係る送風装置の一例として、送風装置１を例示する。また、送風装置を着脱可能な衣服として、上着９を例示する。
【００１６】
まず、図１および図２を参照して、本実施形態の送風装置１の使用態様について簡単に説明する。
【００１７】
図１に示すように、本実施形態の送風装置１は、例えば、上着９に装着されて使用される。図２に示すように、上着９は、前開きで長袖の上衣であって、一般的には、下着やＴシャツ等の上に着用される。上着９は、背面部の下方（詳細には、着用時に使用者の腰周りの背中側を覆う部分）の２箇所に、送風装置１を取り付けるための取付け開口９１を有する。つまり、上着９には、２つの送風装置１が取り付け可能である。なお、取付け開口９１は、送風装置１のハウジング４の筒状部４０（図４参照）の径と概ね同径に形成されている。以下、取付け開口９１の周縁部を、ファン取付け部９３ともいう。なお、ファン取付け部９３は、送風装置１を安定して取り付け可能とするために、補強材によって補強されていることが好ましい。また、上着９（例えば、前面部（前身頃）の内側には、送風装置１の電源としてのバッテリ９５が装着されたバッテリホルダ９６を収容可能なポケット９４が設けられている。バッテリホルダ９６と２つの送風装置１は、二股状の接続ケーブル９７によって電気的に接続される。
【００１８】
送風装置１は、取付け開口９１に一部が挿入され、図１に示すように、吸気口４４７が上着９の外部を臨む状態で、上着９に装着される。送風装置１は、吸気口４４７を介して上着９の外部から空気を吸い込み、上着９の内部（使用者の側）へ向けて送出する。上着９の内部へ送出された空気は、使用者の身体を冷却しつつ上着９の内部を流れ、襟元や袖口から上着９の外部へ流出する。送風装置１の装着によって上着９内を通気可能とすることで、使用者は、快適な作業環境を得ることができる。
【００１９】
次に、送風装置１の概略構成について説明する。図３〜図５に示すように、送風装置１は、本体部３と、リング部材５とを備えている。本体部３は、ハウジング４と、ハウジング４に収容されたモータ３３およびファン３６（図６参照）とを主体として構成されている。ハウジング４は、ファン３６の形状に対応して、ファン３６の回転軸Ａ１方向にみて概ね円形の収容体として構成されている。ハウジング４の回転軸Ａ１方向における一端部には、径方向外側に突出するフランジ４３が形成されている。リング部材５は、全体としては、ハウジング４の外周部に着脱可能な短尺の円筒体として形成されている。リング部材５（より詳細には、後述の筒状部５１）の中心軸Ａ２方向における一端部には、径方向外側に突出する六角形状のフランジ５３が形成されている。
【００２０】
本実施形態では、送風装置１は、フランジ４３が上着９の外側に配置された状態で、本体部３のフランジ４３以外の部分が取付け開口９１から上着９の内部（つまり、使用者の背中に対向する側）に挿入される。そして、所定の動作線に沿って、リング部材５が上着９の内部から本体部３の外周部に同軸状に嵌め込まれる。これにより、ハウジング４のフランジ４３とリング部材５のフランジ５３とによって上着９の服地（詳細には、取付け開口９１のファン取付け部９３）が挟持された状態で、送風装置１が上着９に対して装着される。
【００２１】
なお、以下の説明では、便宜上、送風装置１の方向に関しては、送風装置１が上着９に装着され、更に上着９が着用されたときの使用者の向きを基準として定義する。具体的には、ファン３６の回転軸Ａ１およびリング部材５の中心軸Ａ２の延在方向を前後方向、上着９の外側方向（つまり、ハウジング４のフランジ４３側）を後側、上着９の内側方向（つまり、リング部材５のフランジ５３側）を前側とする。このことから、以下では、ハウジング４のフランジ４３を後側フランジ４３ともいい、リング部材５のフランジ５３を前側フランジ５３ともいう。また、回転軸Ａ１および中心軸Ａ２周りの周方向に関しては、送風装置１を前側からみた場合を基準として、時計回り方向ＣＷおよび反時計回り方向ＣＣＷを規定する。
【００２２】
以下、送風装置１の本体部３およびリング部材５の詳細な構成について、順に説明する。
【００２３】
まず、本体部３について説明する。上述のように、本体部３は、モータ３３と、ファン３６と、モータ３３およびファン３６を収容するハウジング４とを主体として構成されている。
【００２４】
図６に示すように、モータ３３およびファン３６は、ハウジング４内に、同軸状に配置されている。本実施形態では、モータ３３として、比較的小型で高出力なブラシレスモータが採用されている。また、ファン３６として、複数の羽根を備えた軸流ファンが採用されている。ファン３６は、モータ３３のロータと共に回転するモータシャフト３３１に取り付けられている。なお、本実施形態のファン３６の直径Ｄ１は、７９．０ミリメートル（ｍｍ）である。ファン３６は、モータ３３の駆動に伴って、回転軸Ａ１周りにモータシャフト３３１と一体的に回転される。本実施形態では、ファン３６の回転数、つまりモータ３３の回転数は、バッテリホルダ９６の操作ボタン９６４（図７参照）を介して、４段階の回転数のうち何れか１つを設定可能とされている。なお、モータ３３の回転数の設定可能範囲は、毎分４,０００回転（４,０００ｒｐｍ）から毎分５,８００回転（５,８００ｒｐｍ）までとされている。つまり、本実施形態のモータ３３の最高回転数は、５,８００ｒｐｍである。
【００２５】
ここで、図７を参照して、バッテリホルダ９６について簡単に説明する。バッテリホルダ９６の構成は周知であるため、ここでは一部の構成については図示を省略しつつ、簡単に説明する。また、便宜上、図７の上下方向をバッテリホルダ９６の上下方向とし、矢印が指す方向を後側、反対側を前側とする。バッテリホルダ９６は、概ね直方体状に形成され、バッテリ９５がスライド係合可能、且つ、電気的に接続可能に構成されている。
【００２６】
本実施形態では、バッテリホルダ９６の前面には、送風装置９（詳細には、モータ３３）の駆動開始および停止の指示を入力するための操作ボタン９６４が設けられている。また、操作ボタン９６４は、モータ３３の回転数の設定のための指示も入力可能とされている。本実施形態では、設定された回転数に応じてモータ３３の駆動を制御するコントローラ（例えば、ＣＰＵを備えたマイクロコンピュータ）は、バッテリホルダ９６に搭載されている。バッテリホルダ９６は、ケーブル９６６のコネクタ９６７に接続された接続ケーブル９７を介して送風装置１に電気的に接続される（図１参照）。
【００２７】
次に、ハウジング４について説明する。図６に示すように、本実施形態では、ハウジング４は、後側ハウジング４１と前側ハウジング４６とによって形成されている。後側ハウジング４１と前側ハウジング４６は、何れも樹脂製である。後側ハウジング４１は、円筒状の内側筒状部４２と、内側筒状部４２の後端部に設けられた上述の後側フランジ４３および吸気側カバー部４４とを含む。前側ハウジング４６は、円筒状の外側筒状部４７と、外側筒状部４７の前端部から前方へ突出する排気側カバー部４８とを含む。モータ３３やファン３６を含む内部部品が収容された状態で、後側ハウジング４１の内側筒状部４２の外周に前側ハウジング４６の外側筒状部４７が嵌合されることで、後側ハウジング４１と前側ハウジング４６とが一体化され、ハウジング４が形成されている。全体としてみると、ハウジング４は、内側筒状部４２および外側筒状部４７が一体化された筒状部４０と、後側フランジ４３と、吸気側カバー部４４と、排気側カバー部４８とを含む。
【００２８】
筒状部４０は、円筒状に形成されており、ファン３６の回転軸Ａ１と同軸状に、ファン３６の一部を囲むように配置されている。なお、筒状部４０（詳細には、外側筒状部４７）の外周面には、リング部材５を回転軸Ａ１方向および回転軸Ａ１周りの周方向において係止するための構成が設けられているが、この点については、後で詳述する。
【００２９】
後側フランジ４３は、筒状部４０のうち、回転軸Ａ１方向においてファン３６の吸気側に位置する一端部（つまり、後端部４０１）から径方向外側に突出する部分である。図５に示すように、本実施形態では、後側フランジ４３は、後側からみて六角形状に形成されている。六角形の辺に相当する部分は、使用者が指を掛けてハウジング４を把持したり、回転軸Ａ１周りに回転させたり、回転しないように押えたりするのを容易とすることができる。
【００３０】
吸気側カバー部４４は、筒状部４０の後端部４０１の開口を覆うように配置されている。吸気側カバー部４４は、閉塞部４４１と、第１リブ４４３と、第２リブ４４５とを含む。閉塞部４４１は、吸気側カバー部４４の中心部に、回転軸Ａ１に概ね直交するように配置された板状部である。閉塞部４４１は、図１に示すように、上着９の外側に配置される面部であって、本実施形態では、六角形状にデザインされている。第１リブ４４３は、直線状のリブであって、閉塞部４４１から放射状に延びて、後端部４０１の内周面に接続している。第２リブ４４５は、閉塞部４４１の最大径よりも大径の環状のリブであって、第１リブ４４３を接続している。
【００３１】
なお、図６および図８に示すように、本実施形態では、吸気側カバー部４４の後端面（閉塞部４４１の後面と、第１リブ４４３および第２リブ４４５の後端面）は、回転軸Ａ１の延在方向（前後方向）において、概ね同じ面上に配置されている（実質的に凹凸がない）。第１リブ４４３の後端面は、筒状部４０の後端面と滑らかに接続している。これにより、送風装置１が上着９に装着され、吸気側カバー部４４が上着９の着用者の背中側で外部に露出していても、第１リブ４４３や第２リブ４４５が周囲の物に引っかかる可能性を低減することができる。
【００３２】
本実施形態では、後端部４０１の内周面、閉塞部４４１の外周面、第１リブ４４３、および第２リブ４４５の側面によって規定される開口が、吸気口４４７を構成する。各吸気口４４７は、回転軸Ａ１方向に吸気側カバー部４４を貫通しており、ファン３６が回転されると、吸引された空気は、吸気口４４７を通ってハウジング４内へ後方から前方へ向けて流入する。
【００３３】
図３および図９に示すように、排気側カバー部４８は、筒状部４０に対し、回転軸Ａ１方向においてファン３６の排気側に位置する端部（つまり、前端部）を覆うように配置されている。本実施形態では、排気側カバー部４８は、全体としては、回転軸Ａ１方向において筒状部４０の前端部から離れる方向（前方）に突出する円形ドーム状に形成されており、閉塞部４８１と、第１リブ４８３と、第２リブ４８４と、第３リブ４８５とを含む。
【００３４】
閉塞部４８１は、回転軸Ａ１に概ね直交するように、前端部の中心に配置された円形の板状部である。閉塞部４８１の径は、筒状部４０の内径の半分程度とされている。第１リブ４８３は、閉塞部４８１から放射状に延びている。第２リブ４８４は、環状に形成され、第１リブ４８３の径方向外側の端部を接続する。第３リブ４８５は、周方向に等間隔で配置され、第２リブ４８４と筒状部４０（詳細には、外側筒状部４７）の前端部を円弧状に接続する。
【００３５】
本実施形態では、閉塞部４８１の外周面と、第１リブ４８３、第２リブ４８４、および第３リブ４８５の側面によって規定される開口が、排気口４８７を構成する。各排気口４８７は、回転軸Ａ１方向に排気側カバー部４８を貫通している。ファン３６が回転されると、吸気口４４７からハウジング４内へ流入した空気は、排気口４８７を通って後方から前方へ向けて、および回転軸Ａ１に交差する方向に流出する。
【００３６】
図４および図８に示すように、排気側カバー部４８の周方向における一部には、凹部４８９が設けられている。凹部４８９に対して回転軸Ａ１側には、モータ３３に電気的に接続されたコネクタ３７が配置されている。上述のようにバッテリホルダ９６に接続された接続ケーブル９７のコネクタ９７３（図１参照）が凹部４８９に配置され、コネクタ３７に接続されることで、バッテリホルダ９６と送風装置１とが電気的に接続される。
【００３７】
更に、ハウジング４には、ファン３６の回転駆動時の騒音低減のための構成が設けられているが、この点については後で詳述する。
【００３８】
以下、リング部材５について説明する。図３および図４に示すように、リング部材５は、筒状部５１と、上述の前側フランジ５３とを含む。なお、本実施形態では、筒状部５１および前側フランジ５３は、樹脂によって一体的に形成されている。筒状部５１は、ハウジング４の筒状部４０に外嵌される部位である。そこで、筒状部５１は、ハウジング４の筒状部４０の外径よりも僅かに大きい内径を有する短尺状の円筒体として形成されている。なお、筒状部５１の外周面には、略三角形状のリブが複数配置されている。これらの三角リブは、使用者が指を掛けてリング部材５を把持したり、中心軸Ａ２周りに回転させたり、回転しないように押えたりすることを容易にするための指掛け部として構成されている。
【００３９】
前側フランジ５３は、上述のように、前後方向（回転軸Ａ１方向）においてハウジング４の後側フランジ４３に対向し、後側フランジ４３との間で上着９の取付け開口９１のファン取付け部９３を挟持する部位である。前側フランジ５３は、筒状部５１の中心軸Ａ２方向における一端部（具体的には、後端部）から径方向外側に突出するように設けられている。なお、本実施形態では、前側フランジ５３の外径は、ハウジング４の後側フランジ４３の最大径よりも若干小さく設定されている。
【００４０】
上述のように構成された送風装置１は、更に、係止機構と、回転規制機構とを備えている。係止機構は、リング部材５をハウジング４に対して回転軸Ａ１方向（中心軸Ａ２方向）に係止することで、ハウジング４に対するリング部材５の回転軸Ａ１方向の移動を規制するように構成された機構である。回転規制機構は、リング部材５をハウジング４に対して回転軸Ａ１周りの周方向に係止することで、ハウジング４に対するリング部材５の回転を規制するように構成された機構である。以下、これらの機構の構成について、順に説明する。
【００４１】
まず、係止機構の構成について説明する。図４に示すように、本実施形態では、係止機構は、ハウジング４の筒状部４０に設けられたガイド溝６１と、リング部材５の筒状部５１に設けられた係止突起６６とを含む。
【００４２】
図４および図９に示すように、ガイド溝６１は、筒状部４０の外周面から径方向内側に凹むように形成された溝である。ガイド溝６１は、全体としては略Ｌ字状に形成されており、第１部分６１１と第２部分６１４とを含む。第１部分６１１は、ガイド溝６１のうち、筒状部４０の前端（回転軸Ａ１方向において、排気側カバー部４８側）から回転軸Ａ１方向に延びる部分である。第２部分６１４は、ガイド溝６１のうち、第１部分６１１の後側部分から連続して周方向に（詳細には、時計回り方向ＣＷに）延びる部分である。本実施形態では、ガイド溝６１は、リング部材５がハウジング４に対して着脱される過程で、後述するリング部材５の係止突起６６（図４参照）が通過可能な経路を規定する溝として構成されている。具体的には、リング部材５がハウジング４に対して着脱される過程で、係止突起６６は、ガイド溝６１内に挿入され、ガイド溝６１に沿って案内される。
【００４３】
第１部分６１１の前端は、リング部材５の係止突起６６をガイド溝６１へ受け入れる受入口を構成する。第２部分６１４の前端を規定する壁面（つまり、筒状部４０の外周面から溝の底まで径方向内側に伸展する面部）は、周方向に（詳細には、時計回り方向ＣＷに）延在しつつ、後側フランジ４３に向けて後方に僅かに傾斜している。この壁面を、ガイド面６１５という。ガイド面６１５の周方向における中間部には、回転軸Ａ１に概ね直交する面である第１係止部６１６が形成されている。時計回り方向ＣＷにおいて、第１係止部６１６の下流側の端（図９の下端）には、後方（図９の右方）への僅かな段差６１８が設けられている。ガイド面６１５は、段差６１８から更に下流側へ僅かに傾斜しつつ延びている。
【００４４】
ガイド面６１５の終端部（つまり、第１部分６１１から最も離れた端部）には、回転軸Ａ１に概ね直交する面である第２係止部６１７が形成されている。つまり、第２係止部６１７は、第１係止部６１６よりも時計回り方向ＣＷにおいて下流側に配置されている。また、回転軸Ａ１方向（つまり、前側フランジ５３と後側フランジ４３の対向方向、前後方向）において、第２係止部６１７は、第１係止部６１６に対して異なる位置にある。より詳細には、回転軸Ａ１方向において、第２係止部６１７は、第１係止部６１６よりも後側フランジ４３に近い位置（より後方）にある。つまり、回転軸Ａ１方向における第２係止部６１７と後側フランジ４３との間の距離は、第１係止部６１６と後側フランジ４３との間の距離よりも短い。
【００４５】
図４に示すように、係止突起６６は、リング部材５の筒状部５１の内周面から径方向内側に突出するように設けられている。本実施形態では、係止突起６６は、直方体状の突起として、筒状部５１の後端に、筒状部５１と一体的に形成されている。上述のように、係止突起６６はガイド溝６１内を案内されるため、係止突起６６は、ガイド溝６１内に挿入可能なサイズに設定されている。
【００４６】
なお、図１０に示すように、本実施形態では、３つのガイド溝６１が、筒状部４０の周方向において３箇所に等間隔で設けられている。また、３つの係止突起６６が、筒状部５１の周方向において３箇所に等間隔で設けられている。
【００４７】
次に、回転規制機構の構成について説明する。図４に示すように、本実施形態では、回転規制機構は、ハウジング４の筒状部４０に設けられた回転係止部７１と、リング部材５の筒状部５１に設けられた係止片７５とを含む。
【００４８】
本実施形態では、回転係止部７１は、第１凹部７１１および第２凹部７１６を含む。第１凹部７１１および第２凹部７１６は、いずれも筒状部４０の外周面から径方向内側に凹むように形成された凹部であって、後述する係止片７５を周方向に係止するように構成されている。
【００４９】
図４および図９に示すように、第１凹部７１１は、後側フランジ４３から前方へ向けて筒状部４０の前端の近傍まで延在する凹部として設けられている。また、図１０に示すように、第１凹部７１１は、回転軸Ａ１に直交する断面がＶ字状に形成されている。第１凹部７１１を規定する２面のうち、時計回り方向ＣＷにおいて上流側の面７１２は、概ね径方向に延在する一方、下流側の面７１３は、面７１２と筒状部４０の外周面とを緩やかに傾斜しながら接続する。面７１２は、後述する係止片７５の爪７５１と係合する係合面として機能する。また、面７１３は、第１凹部７１１内に配置された爪７５１の時計回り方向ＣＷへの離脱を案内するガイド面として機能する。
【００５０】
図４に示すように、第２凹部７１６は、時計回り方向ＣＷにおいて第１凹部７１１の下流側、且つ、回転軸Ａ１方向において筒状部４０の概ね中央部に、側面視矩形状の凹部として設けられている。また、図１０に示すように、第２凹部７１６は、回転軸Ａ１に直交する断面も矩形状に形成されている。第２凹部７１６を規定する３面のうち、時計回り方向において最上流側の面７１７は、概ね径方向に延在し、係止片７５の爪７５１と係合する係合面として機能する。更に、図９に示すように、第２凹部７１６の前端部は、第１凹部７１１の前端部よりも筒状部４０の前端から離間した位置にある。
【００５１】
なお、回転軸Ａ１方向（前後方向）において、第１凹部７１１の前端と第２凹部７１６の前端の間の距離は、ガイド溝６１の第１係止部６１６と第２係止部６１７の間の距離に対応している。また、時計回り方向ＣＷにおいて、第１凹部７１１の上流側の端と第２凹部７１６の上流側の端の間の距離は、ガイド溝６１の第１係止部６１６の下流側の端と第２係止部６１７の下流側の端の間の距離に対応している。
【００５２】
図４および図９に示すように、筒状部４０の前端部には、時計回り方向ＣＷにおいて第１凹部７１１の上流側に、ガイド凹部７３が設けられている。ガイド凹部７３は、第１凹部７１１および第２凹部７１６と比べて浅い凹部であって、前端の中央部が最も深くなるように、全体が湾曲面によって規定されている。ガイド凹部７３は、後述する係止片７５（詳細には、爪７５１）を受け入れ、筒状部４０の外周面へと案内する。
【００５３】
なお、本実施形態では、時計回り方向ＣＷにおいて、上流側から順に、ガイド凹部７３、第１凹部７１１、第２凹部７１６が配置されている。更に、ガイド凹部７３、第１凹部７１１、第２凹部７１６を１組として、３組のガイド凹部７３、第１凹部７１１、第２凹部７１６が、夫々、上述の３つのガイド溝６１の間に配置されている。
【００５４】
図４に示すように、係止片７５は、可撓性を有する帯状部材として、リング部材５の筒状部５１の周方向に延在するように、筒状部５１と一体的に形成されている。係止片７５は、時計回り方向ＣＷにおける上流側端部が筒状部５１に接続されており、筒状部５１に対して径方向に撓むことができる。図１０に示すように、係止片７５の時計回り方向ＣＷにおける下流側端部（先端部）の内面（中心軸Ａ２側の面）には、径方向内側に突出する爪７５１が設けられている。係止片７５は、爪７５１を介して上述の第１凹部７１１および第２凹部７１６に係止可能に構成されている。また、係止片７５の先端部には、径方向外側へ突出するタブ７５６が設けられている。タブ７５６は、使用者が、反時計回り方向ＣＣＷに指で押圧操作すること、または、指で摘んで操作することができるように構成されており、爪７５１の第１凹部７１１（面７１２）または第２凹部７１６（面７１７）に対する係合を解除するのに使用される。
【００５５】
以上の構成を有する送風装置１は、使用者によって、上着９（図１および図２参照）に取り付けられて使用される。なお、送風装置１は、上着９以外にも、ファン取付け部９３（図２参照）を有する衣服に着脱可能である。本実施形態の送風装置１は、上述の係止機構および回転規制機構によって、様々な厚みの衣服に対応可能とされている。以下に、衣服（例えば、上着９）への着脱時の係止機構および回転規制機構の作用について説明する。
【００５６】
送風装置１を上着９に装着する場合には、使用者はまず、図４に示すようにリング部材５が取り外された状態の本体部３の一部を、上着９の取付け開口９１（図２参照）に挿入する。具体的には、後側フランジ４３を後身頃（ファン取付け部９３）の外側に配置し、筒状部４０と排気側カバー部４８を取付け開口９１から上着９の内側へ挿入する。これにより、後側フランジ４３の前面には、ファン取付け部９３（服地）が配置された状態となる。
【００５７】
本実施形態の送風装置１は、リング部材５がハウジング４に対して所定の動作線に沿って装着されるように構成されている。なお、「動作線」とは、リング部材５がハウジング４に対して装着されるときに辿る動線、または操作線のことをいう。あるいは、リング部材５がハウジング４に対して装着されるときの装着方向と言い換えることもできる。動作線は、典型的には、所定方向への直線状または曲線状の動作、あるいは、かかる動作が複数組み合わされたものとして表される。
【００５８】
本実施形態では、リング部材５は、回転軸Ａ１方向にハウジング４に対して近接する方向（言い換えると、前側フランジ５３が後側フランジ４３に近づく方向）に相対移動され、その後、時計回り方向ＣＷに相対移動されることで、ハウジング４に装着される。
【００５９】
より具体的には、図４に示すように、使用者は、係止突起６６がガイド溝６１の受入口に夫々対向し、且つ、係止片７５の爪７５１がガイド凹部７３に対向するように、リング部材５をハウジング４に対して位置合わせする。そして、使用者は、リング部材５をハウジング４に対して後方へ移動する。係止突起６６がガイド溝６１のうち第１部分６１１に沿って案内されることで、リング部材５は、ハウジング４に対して回転軸Ａ１方向に後方へ装着案内される。係止突起６６が第２部分６１４の位置に達すると、使用者は、リング部材５をハウジング４に対して時計回り方向ＣＷに回転させ、係止突起６６を第２部分６１４に進入させる。なお、これに伴い、係止片７５の爪７５１は、ガイド凹部７３を規定する湾曲面に沿ってガイド凹部７３から離脱する。係止片７５が径方向外側に撓んだ状態で、爪７５１は、筒状部４０の外周面に沿って時計回り方向ＣＷに移動する。
【００６０】
係止突起６６が第２部分６１４内に配置されている場合、係止突起６６は、ガイド面６１５によって回転軸Ａ１方向において前方への移動が規制される。使用者は、上着９のファン取付け部９３の厚みに応じて、図１１に示すように、係止突起６６の前端が、第１係止部６１６に当接する第１位置、または、第２係止部６１７に当接する第２位置に配置されるまで、リング部材５を時計回り方向ＣＷに回動させる。なお、図１１では、リング部材５は、係止突起６６が第２位置に配置されたときの位置に図示されている。係止突起６６は、第１位置において、時計回り方向ＣＷにおける下流側の端が、第１係止部６１６の下流側に形成された段差６１８に当接する。係止突起６６は、第２係止位置において、時計回り方向ＣＷにおける下流側の端が、第２部分６１４の下流側の端に当接する。よって、使用者は、係止突起６６の前端面がガイド面６１５に沿って時計回り方向ＣＷに移動するようにリング部材５を回動させることで、係止突起６６を第１位置または第２位置まで容易且つスムーズに移動させることができる。
【００６１】
係止突起６６が第１位置に配置されたときの前側フランジ５３と後側フランジ４３との間の対向方向（つまり、回転軸Ａ１方向、前後方向）における距離は、係止突起６６が第２位置に配置されたときの前側フランジ５３と後側フランジ４３との間の距離よりも大きい。前側フランジ５３と後側フランジ４３との間の距離は、前側フランジ５３と後側フランジ４３とで挟持可能なファン取付け部９３（服地）の厚みに対応する。よって、使用者は、ファン取付け部９３の厚みに応じて、係止突起６６を第１位置と第２位置のどちらに係止させればよい。何れの場合も、係止突起６６が前方でガイド面６１５の第１係止部６１６または第２係止部６１７に係止されることで、回転軸Ａ１方向において、リング部材５がハウジング４から離れる方向（前方）に移動することが規制される。
【００６２】
更に、係止突起６６が第１位置に配置されると、図１０に示すように、爪７５１は、係止片７５の復元力で第１凹部７１１内に入り込み、面７１２に係合する。同様に、係止突起６６が第２位置に配置されると、爪７５１は、係止片７５の復元力で第２凹部７１６内に入り込み、面７１７に係合する。何れの場合も、係止片７５が第１凹部７１１または第２凹部７１６に周方向に係止されることで、リング部材５が周方向（特に、反時計回り方向ＣＣＷ）に回転することが規制される。
【００６３】
取り外し時には、リング部材５は、動作線を装着時とは反対方向に辿ることになる。つまり、リング部材５は、反時計回り方向ＣＣＷに相対移動され、その後、回転軸Ａ１方向にハウジング４から離れる方向（言い換えると、前側フランジ５３が後側フランジ４３から離れる方向）に相対移動されることで、ハウジング４から取り外される。
【００６４】
より具体的には、使用者は、第１凹部７１１または第２凹部７１６に係止された係止片７５のタブ７５６を反時計回り方向ＣＣＷに押圧することで（または指で摘んで径方向外側へ引っ張ることで）係止片７５を撓ませ、係止を解除する。これにより、リング部材５のハウジング４に対する周方向の移動が許容される。使用者は、リング部材５をハウジング４に対して反時計回り方向ＣＣＷに回動させ、係止突起６６を、第２部分６１４から第１部分６１１内へ移動させる。そして、リング部材５をハウジング４に対して前方へ相対移動させ、係止突起６６を第１部分６１１から離脱させる。使用者は、リング部材５をハウジング４から取り外した後、本体部３を上着９から取り外すことができる。
【００６５】
以下、ハウジング４に設けられたファン３６の回転駆動時の騒音低減のための構成について説明する。
【００６６】
まず、図６に示すように、筒状部４０の後端部４０１（つまり、回転軸Ａ１方向において吸気側の端部）には、吸気口４４７の近傍における乱流の発生を抑制するための構成が設けられている。具体的には、後端部４０１以外の部分は、概ね均一の内径Ｄ２（筒状部４０の内径の最小値ともいえる）を有する。本実施形態では、内径Ｄ２は、８１．０ｍｍである。これに対し、後端部４０１は、開口端（つまり、後端）に向けて内径が大きくなる拡径部として構成されている。開口端における筒状部４０の内径Ｄ３（筒状部４０の内径の最大値ともいえる）は、８７ｍｍである。上述のように、後端部４０１の内周面は、吸気口４４７の一部を規定する面部である。よって、後端部４０１を拡径部として構成することで、筒状部４０全体が均一径を有する場合（つまり、後端部４０１の内周面と後端面が直角をなす場合）に比べ、吸気口４４７から筒状部４０内に空気をスムーズに流入させ、空気の流れに剥離（渦）が生じることを抑制することができる。
【００６７】
更に、図１２に示すように、本実施形態では、後端部（拡径部）４０１の内周面は、筒状部４０の後端に向かって径方向外側に湾曲する湾曲面４０３として構成されている。つまり、回転軸Ａ１を含む平面で後端部４０１を切った場合、湾曲面４０３を表す線は、回転軸Ａ１側に膨らむ弧を描く。なお、本実施形態の湾曲面４０３は、３ｍｍの曲率半径を有する。内周面をこのような湾曲面４０３として構成することで、湾曲面４０３に沿って空気をよりスムーズに流入させ、空気の流れに剥離（渦）が生じることを更に抑制することができる。
【００６８】
また、本実施形態では、後端部（拡径部）４０１の開口端における筒状部４０の内径Ｄ３（筒状部４０の内径の最大値ともいえる）は、８７ｍｍであって、後端部４０１以外の部分の内径Ｄ２（８１．０ｍｍ）の約１．０７４倍である。また、湾曲面４０３の径方向の長さ（つまり、湾曲面４０３の内周側の端、つまり前端位置Ｐ１と、外周側の端、つまり後端位置Ｐ２との間の径方向の距離ｄ１、内径Ｄ３と内径Ｄ２との差の二分の一）は、３ｍｍである。湾曲面４０３の前後方向の長さ（つまり、湾曲面４０３の前端位置と後端位置との間の前後方向の距離ｄ２）は、３ｍｍである。よって、距離ｄ１と距離ｄ２との比は、１対１である。このような寸法設定により、湾曲面４０３の曲率半径（３ｍｍ）に応じた効果的な乱流の抑制構造が実現されている。
【００６９】
更に、本実施形態では、筒状部４０の内径Ｄ２（８１．０ｍｍ）は、ファン３６の直径Ｄ１（７９．０ｍｍ）の約１．０２５倍である。このため、ファン３６の直径Ｄ１と筒状部４０の内径Ｄ２との差が比較的小さく、回転軸Ａ１の径方向において、ファン３６の羽根の先端と筒状部４０の内周面との間のクリアランスは１ｍｍである。このように、クリアランスを小さくすることで、ファン３６の排気側から吸気側へ戻る空気の流れを妨げ、これによっても騒音を低減することができる。
【００７０】
なお、上記実施形態は単なる例示であり、本発明に係る送風装置および衣服は、例示された送風装置１および上着９の構成に限定されるものではない。例えば、下記に例示される変更を加えることができる。なお、これらの変更は、これらのうちいずれか１つのみ、あるいは複数が、上記実施形態および変形例に示す送風装置１および上着９、あるいは各請求項に記載された発明と組み合わされて採用されうる。
【００７１】
例えば、筒状部４０の後端部４０１は、後端に向けて内径が大きくなるように構成されていればよく、内周面は湾曲面４０３である必要はない。つまり、回転軸Ａ１を含む平面で後端部４０１を切った場合、内周面を表す線が、全体として、後端に向かって回転軸Ａ１から離れる方向に延びていればよい。よって、例えば、湾曲面４０３の曲率半径は３ｍｍでなくてもよい。但し、乱流の効果的な抑制という観点からは、曲率半径は、少なくとも２ｍｍであることが好ましく、少なくとも３ｍｍあることがより好ましい。また、湾曲面は、異なる曲率半径を有する複数の部分を含んでいてもよい。なお、曲率半径が大きくなるほど騒音の低減効果は上がるものの、衣服に着脱可能な送風装置１の大きさに関する現実的な制約を考慮すると、曲率半径は、１４．５ミリメートル以下であることが好ましい。また、曲率半径は、ハウジング４の内径Ｄ２（またはファン３６の直径Ｄ１）の０．０２５倍〜０．１８倍であることが好ましい。
【００７２】
また、回転軸Ａ１を含む平面で後端部４０１を切った場合に、内周面を表す線は、曲線に限らず、直線であってもよい。内周面を表す線が直線の場合、内周面は、例えば円錐面のような傾斜面となる。なお、内周面を表す線が直線の場合、乱流の効果的な抑制という観点からは、この直線と回転軸Ａ１とがなす角は、１０度〜７０度の範囲内にあることが好ましい。また、このような傾斜面と、湾曲面とが組み合わせられていてもよい。内周面を表す曲線または直線は、途中で回転軸Ａ１に対する角度が変化してもよい。なお、内周面を表す線が直線であって、回転軸Ａ１に対する角度が一定の場合には、この直線と回転軸Ａ１とがなす角は、概ね２５度〜３５度の範囲内にあることが更に好ましい。
【００７３】
また、ファン３６やハウジング４の各部分の寸法は、適宜、変更が可能である。但し、ファン３６の直径Ｄ１は、着用者の身体を冷却するために十分な風量を確保するために、少なくとも７０ｍｍであることが好ましい。なお、上着９に着脱して使用される送風装置１の現実的な大きさを考慮すると、直径Ｄ１は、１００ｍｍ以下であることが好ましい。
【００７４】
内径Ｄ２（筒状部４０の内径の最小値）は、ファン３６の排気側から吸気側へ戻る空気の流れを効果的に妨げ、騒音を低減するとの観点から、直径Ｄ１の１．０４倍以下であることが好ましい。また、乱流を効果的に抑制可能な拡径部を形成するという観点から、内径Ｄ３（筒状部４０の内径の最大値）は、内径Ｄ２（筒状部４０の内径の最小値）の１．０５倍以上であることが好ましい。また、後側フランジ４３の大きさと乱流の抑制効果とのバランスを考慮すると、内径Ｄ３（筒状部４０の内径の最大値）は、内径Ｄ２（筒状部４０の内径の最小値）の１．３６倍以下であることが好ましい。更に、乱流を効果的に抑制可能な拡径部を形成するという観点から、内周面の前端位置Ｐ１と後端位置Ｐ２との間の前後方向の距離ｄ２は、内径方向の距離ｄ１の０．５倍以上であることが好ましい。また、筒状部４０の長さと乱流の抑制効果とのバランスを考慮すると、距離ｄ２は、距離ｄ１の３．０倍以下であることが好ましい。
【００７５】
吸気側カバー部４４の閉塞部４４１、第１リブ４４３、第２リブ４４５の構成、つまり、吸気口４４７の形状や数は、適宜変更されてもよい。なお、吸気口４４７の近傍における乱流の発生を抑制するためには、第１リブ４４３および第２リブ４４５は、できるだけ細いことが好ましい。排気側カバー部４８の構成についても同様に変更が可能である。
【００７６】
また、モータ３３については、ブラシレスモータに代えて、ブラシ付きのモータが採用されてもよい。但し、モータ３３の最高回転数は、着用者の身体を冷却するために十分な風量を確保するために、少なくとも４,５００ｒｐｍであることが好ましく、５,５００ｒｐｍ以上であることが更に好ましい。なお、モータ３３の回転数は、一定であってもよいし、複数段階で調節可能であっても、無段階で調節可能であってもよい。なお、モータ３３の回転数の設定は、操作ボタン９６４以外の操作部材（ダイアル等）を介して行われてもよい。操作ボタン９６４は、バッテリホルダ９６とは別体として設けられた操作ユニットに配置されていてもよい。また、モータ３３の駆動制御（ファン３６の風量制御）を行うコントローラは、バッテリホルダ９６ではなく、送風装置１のハウジング４内に配置されていてもよい。
【００７７】
送風装置１は、１つのハウジング４内に複数のファン３６が収容された構成であってもよい。この場合、ファン３６の数に対応して、モータ３３も複数設けられていてもよい。
【００７８】
送風装置１を上着９（ファン取付け部９３）に着脱可能とするための構成は、上記実施形態の例に限られない。例えば、ハウジング４（筒状部４０）およびリング部材５の一方に可撓性を有する係止片が設けられ、他方に係止片が係止可能な凹部が設けられていてもよい。この場合、リング部材５がハウジング４に対して回転軸Ａ１方向に嵌め込まれ、係止片が凹部に係止することで、送風装置１が上着９に取り付けられる。あるいは、筒状部４０の外周面に雄ネジ部が形成され、リング部材５の内周面に雌ネジ部が形成されていてもよい。この場合、リング部材５が筒状部４０に螺合されることで、送風装置１が上着９に取り付けられる。
【００７９】
送風装置１を着脱可能な衣服は、上着９のような長袖の上衣である必要はなく、例えば、ズボンのような下衣であってもよい。また、衣服が表地と裏地の２層構造を有する場合には、ファン取付け部９３が表地に設けられ、送風装置１の装着時には、排気側カバー部４８が表地と裏地の間の内部空間に配置されてもよい。この場合、冷却の必要性が高い襟元や脇等に、適宜、通気度が比較的高い領域（開口を含む）が設けられ、ここから流出する空気によって着用者の身体が冷却されてもよい。また、衣服におけるファン取付け部９３の位置や数（つまり、取付け可能な送風装置１の数）は、適宜変更することができる。
【００８０】
上記実施形態および変形例の各構成要素と本発明の各構成要素の対応関係を以下に示す。上着９は、本発明の「衣服」の一例である。送風装置１は、本発明の「送風装置」の一例である。モータ３３は、本発明の「モータ」の一例である。ファン３６および回転軸Ａ１は、本発明の「ファン」および「回転軸」の一例である。ハウジング４、吸気口４４７、および排気口４８７は、夫々、本発明の「ハウジング」、「吸気口」および「排気口」の一例である。筒状部４０および後端部４０１は、本発明の「筒状部」および「吸気側端部」の一例である。吸気側カバー部４４は、本発明の「吸気側カバー部」の一例である。湾曲面４０３は、本発明の「吸気側端部の内周面」および「湾曲面」の一例である。
【００８１】
本発明および上記実施形態の趣旨に鑑み、以下の態様が構築される。以下の態様のうち少なくとも１つが、上述の実施形態、変形例、もしくは各請求項に記載された発明と組み合わされて採用されてもよい。
【００８２】
［態様１］
前記筒状部の最小内径は、前記ファンの直径よりも大きく、且つ、前記直径の１．０４倍以下であってもよい。
［態様２］
前記吸気側端部の前記開口端における内径は、前記筒状部の最小内径の１．０５倍以上、且つ、１．３６倍以下であってもよい。
［態様３］
前記内周面の内周側の端と外周側の端との間の前記回転軸方向における距離を第１距離、前記内周側の端と前記外周側の端との間の前記回転軸の径方向における距離を第２距離と定義した場合、前記第１距離は、前記第２距離の０．５倍以上、且つ、３．０倍以下であってもよい
［態様４］
前記筒状部の外周部に嵌合可能に構成され、第１フランジを有するリング部材を更に備え、
前記筒状部は、
前記リング部材が嵌合された場合に前記第１フランジと対向するように設けられた第２フランジと、
前記外周部に形成されたＬ字状の溝であって、前記回転軸方向に延在する第１部分と、前記第１部分から連続して前記回転軸周りの周方向に延在する第２部分とを含むガイド溝とを有し、
前記リング部材は、内周部から突出する突起であって、前記ガイド溝内に配置可能に構成された突起を有し、
前記第２部分は、前記突起に当接することで、前記筒状部と前記リング部材とが前記回転軸方向において互いに離れる方向に移動することを規制するように構成された規制面を有してもよい。
本態様によれば、使用者は、突起がガイド溝に沿って回転軸方向、周方向の順に移動するようにリング部材を筒状部に嵌め込むだけで、第１フランジと第２フランジの間で服地を挟み込み、送風装置を衣服に取り付けることができる。そして、ガイド溝の第２部分の規制面が突起に当接し、移動を規制することで、リング部材がハウジングから外れる可能性を抑制することができる。なお、上記実施形態のリング部材５、前側フランジ５３、係止突起６６は、夫々、本態様の「リング部材」、「第１フランジ」、「突起」の一例である。後側フランジ４３は、本態様の「第２フランジ」の一例である。ガイド溝６１、第１部分６１１、第２部分６１４、およびガイド面６１５は、夫々、本態様の「ガイド溝」、「第１部分」、「第２部分」および「規制面」の一例である。係止突起６６は、本態様の「突起」の一例である。
［態様５］
前記第２部分は、前記周方向のうち所定方向に向けて前記第１部分から延びるとともに、前記所定方向に向かうにつれて、前記回転軸方向において前記第２フランジ側に僅かに傾斜しており、
前記規制面は、前記突起を係止可能な複数の係止部を有してもよい。
本実施形態によれば、服地の厚みに応じて複数の係止部のうち適切な係止部に突起を係止させることができる。なお、上記実施形態の第１係止部６１６および第２係止部６１７は、本態様の「複数の係止部」の例である。
［態様６］
前記送風装置は、
前記筒状部および前記リング部材のうち一方に設けられた凹部と、
前記筒状部および前記リング部材のうち他方に設けられ、前記回転軸の径方向に移動可能に設けられ、前記凹部に係止可能に構成された係止片とを更に備えていてもよい。
本態様によれば、リング部材がハウジングに対して周方向に回転することが規制されるため、リング部材がハウジングから外れる可能性を更に確実に抑制することができる。
なお、上記実施形態の第１凹部７１１、第２凹部７１６の各々が本態様の「凹部」の一例であって、係止片７５が「係止片」の一例である。
【符号の説明】
【００８３】
１：送風装置
３：本体部
３３：モータ
３３１：モータシャフト
３６：ファン
３７：コネクタ
４：ハウジング
４０：筒状部
４０１：後端部
４０３：湾曲面
４１：後側ハウジング
４２：内側筒状部
４３：フランジ（後側フランジ）
４４：吸気側カバー部
４４１：閉塞部
４４３：第１リブ
４４５：第２リブ
４４７：吸気口
４６：前側ハウジング
４７：外側筒状部
４８：排気側カバー部
４８１：閉塞部
４８３：第１リブ
４８４：第２リブ
４８５：第３リブ
４８７：排気口
４８９：凹部
５：リング部材
５１：筒状部
５３：フランジ（前側フランジ）
６１：ガイド溝
６１１：第１部分
６１４：第２部分
６１５：ガイド面
６１６：第１係止部
６１７：第２係止部
６１８：段差
６６：係止突起
７１：回転係止部
７１１：第１凹部
７１２：面
７１３：面
７１６：第２凹部
７１７：面
７３：ガイド凹部
７５：係止片
７５１：爪
７５６：タブ
９：上着
９１：取付け開口
９３：ファン取付け部
９４：ポケット
９５：バッテリ
９６：バッテリホルダ
９６４：操作ボタン
９６６：ケーブル
９６７：コネクタ
９７：接続ケーブル
９７３：コネクタ
Ａ１：回転軸
Ａ２：中心軸
【図１】
2019124195.tif 000003
【図２】
2019124195.tif 000004
【図３】
2019124195.tif 000005
【図４】
2019124195.tif 000006
【図５】
2019124195.tif 000007
【図６】
2019124195.tif 000008
【図７】
2019124195.tif 000009
【図８】
2019124195.tif 000010
【図９】
2019124195.tif 000011
【図１０】
2019124195.tif 000012
【図１１】
2019124195.tif 000013
【図１２】
2019124195.tif 000014